(57)【要約】【課題】内部構造を小型化し、回転操作時の操作性を向上させることが可能な回転操作ユニットを提供する。【解決手段】操作部１００ｂを有する回転操作部材１００と、回転操作部材１００とともに回転するクリックプレート１０５と、クリックプレート１０５に取り付けられた位相接片１０４と、導電パターンが設けられたフレキシブルプリント基板と、位相接片１０４の接片部と導電パターンとが、接触する状態と非接触状態とで切り替わることに応じて、回転操作部材１００の回転操作を検知する検知機構とを備える電子ダイヤルユニット９を設ける。上記フレキシブルプリント基板は、操作部１００ｂの近傍の領域の外形部に、第１の切り欠き部を有する。【選択図】図５
2020030272.tif 000002
【特許請求の範囲】
【請求項１】
操作部を有する回転操作部材と、
前記回転操作部材とともに回転し、凹凸部が所定の角度間隔で設けられたクリック部材と、
前記凹凸部に当接する転動部材と、
前記凹凸部に前記転動部材を付勢する弾性部材と、
接片部を有し、前記クリック部材に取り付けられた位相接片部材と、
グランドパターンと複数の信号パターンを有する導電パターンが設けられた基板と、
前記接片部と前記導電パターンとが、接触する状態と非接触状態とで切り替わることに応じて、前記回転操作部材の回転操作を検知する検知手段と、を備え、
前記基板は、前記操作部の近傍の領域の外形部に、第１の切り欠き部を有する
ことを特徴とする回転操作ユニット。
【請求項２】
前記第１の切り欠き部は、前記基板の、前記グランドパターンのみが設けられた領域の外形部に形成されている
ことを特徴とする請求項１に記載の回転操作ユニット。
【請求項３】
前記基板は、前記転動部材と前記弾性部材が配置される領域の近傍の領域の外形部に、第２の切り欠き部を有する
ことを特徴とする請求項１または請求項２に記載の回転操作ユニット。
【請求項４】
前記第２の切り欠き部は、前記基板の、前記弾性部材が前記転動部材を付勢する方向において前記グランドパターンのみが設けられた領域の外形部に形成されている
ことを特徴とする請求項３に記載の回転操作ユニット。
【請求項５】
前記基板は、片面構造を有するフレキシブル基板である
ことを特徴とする請求項１乃至４のいずれか１項に記載の回転操作ユニット。
【請求項６】
前記位相接片部材は、１２０度間隔で形成された３つの前記接片部を有する
ことを特徴とする請求項１乃至５のいずれか１項に記載の回転操作ユニット。
【請求項７】
前記操作部は、前記回転操作ユニットを備える撮像装置の本体部の筐体から突出して設けられている
ことを特徴とする請求項１乃至６のいずれか１項に記載の回転操作ユニット。
【請求項８】
前記弾性部材が前記クリック部材の凹凸部に前記転動部材を付勢することによって、前記回転操作部材の回転操作に応じたクリック感が発生する
ことを特徴とする請求項１乃至７のいずれか１項に記載の回転操作ユニット。
【請求項９】
前記回転操作ユニットは、前記転動部材と前記弾性部材とが配置され、前記回転操作部材を回転可能に支持するベース部材を有しており、
前記ベース部材には、前記基板の外形を囲う壁部が形成されていることを特徴とする請求項１乃至８のいずれか１項に記載の回転操作ユニット。
【請求項１０】
請求項１乃至９のいずれか１項に記載の回転操作ユニットを有する撮像装置。
【請求項１１】
前記回転操作ユニットは、前記撮像装置の本体部が有する外装部材に固定されており、
前記外装部材は、前記操作部に隣接する隣接部を有し、
前記操作部の回転軸から前記隣接部までの距離は、前記操作部の径より小さい
ことを特徴とする請求項１０に記載の撮像装置。
【発明の詳細な説明】
【技術分野】
【０００１】
本発明は、回転操作ユニット及び撮像装置に関する。
【背景技術】
【０００２】
デジタルカメラ等の撮像装置は、被写体光を光電変換する撮像素子から出力された信号を画像データに変換して、メモリカード等の記録媒体に記録する。撮像素子として、例えば、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等が用いられる。このような撮像装置では、一般的に撮像装置の上面または背面などに撮影条件等の設定を行うための回転操作ユニットが配置されている。回転操作ユニットは、回転する機構を備えており、撮影者が所定角度の回転操作をすることで、各種設定を行うことができる。例えば、撮影時には、シャッタ速度や絞り数値等の設定値を変更することができる。
【０００３】
回転操作ユニットでは、例えば、回転自在なクリックプレートの外周に凹凸が形成されている。そして、回転操作ユニットに、クリックバネによりクリックボールをクリックプレートの凹凸に押圧したクリック感発生機構が設けられていることで、操作性と操作感が向上する。また、板ばね状の位相接片を固定するとともに、撮像装置本体側に複数の導電パターンを有するフレキシブルプリント基板が固定された回転操作ユニットが提案されている。この回転操作ユニットは、導電パターンと位相接片との通電状態を検出することによって、回転操作ユニットの回転位置を検出する。特許文献１は、基板に設けられた導電パターンと位相接片との接触不良の発生を低減させるとともに、回転操作ユニットの操作時に発生する異音を抑制する回転操作ユニットを開示している。
【先行技術文献】
【特許文献】
【０００４】
【特許文献１】特開２０１５−１８４５０１号公報
【発明の概要】
【発明が解決しようとする課題】
【０００５】
撮像装置の上面側に配置された筐体であるトップカバー（外装部材）に回転操作ユニットが組み込まれた構成を例にとって説明する。この構成において、回転操作ユニットが有する操作部は、カメラ外装面から突出している。また、トップカバーは、操作部に隣接する隣接部を有しているものとする。トップカバーに組み込まれた回転操作ユニットでは、回転操作ユニットの内部構造が大きくなり、回転操作ユニットの径と回転操作ユニットの回転軸から隣接部までの距離との差が小さくなると、回転操作部材の操作時に撮影者の指が触れ、操作性を損ねてしまう。本発明は、内部構造を小型化し、回転操作時の操作性を向上させることが可能な回転操作ユニットの提供を目的とする。
【課題を解決するための手段】
【０００６】
本発明の一実施形態の回転操作ユニットは、操作部を有する回転操作部材と、前記回転操作部材とともに回転し、凹凸部が所定の角度間隔で設けられたクリック部材と、前記凹凸部に当接する転動部材と、前記凹凸部に前記転動部材を付勢する弾性部材と、接片部を有し、前記クリック部材に取り付けられた位相接片部材と、グランドパターンと複数の信号パターンを有する導電パターンが設けられた基板と、前記接片部と前記導電パターンとが、接触する状態と非接触状態とで切り替わることに応じて、前記回転操作部材の回転操作を検知する検知手段と、を備える。前記基板は、前記操作部の近傍の領域の外形部に、第１の切り欠き部を有する。
【発明の効果】
【０００７】
本発明の回転操作ユニットによれば、内部構造を小型化し、回転操作時の操作性を向上させることが可能となる。
【図面の簡単な説明】
【０００８】
【図１】撮像装置の構成例を示す図である。
【図２】撮像装置の構成例を示す図である。
【図３】電子ダイヤルユニットの周辺の構造を示す分解斜視図の一例である。
【図４】フレキシブルプリント基板の背面側の斜視図の一例である。
【図５】電子ダイヤルユニットの分解斜視図の一例である。
【図６】トップカバー内の電子ダイヤルユニットの構成を説明する図である。
【図７】電子ダイヤルユニットの背面の構成を説明する図である。
【図８】電子ダイヤルユニットの背面の構成を説明する図である。
【図９】回転操作ユニットの構成の一例を説明する図である。
【発明を実施するための形態】
【０００９】
図９は、回転操作ユニットの構成の一例を説明する図である。
図９（Ａ）は、カメラ本体の上面側に配置された筐体であるトップカバーに電子ダイヤルユニットが組み込まれた状態を示す。図９（Ｂ）は、図９（Ａ）の矢視Ａ−Ａ断面図を示す。回転操作ユニットである電子ダイヤルユニット２０９は、回転操作部材３００と、レリーズベース部材３０２と、ダイヤルベース部材３０３と、フレキシブルプリント基板２２０と、位相接片３０４と、クリックプレート３０５と、ビス３０８とを有する。
【００１０】
トップカバー２１９は、ダイヤル隣接部２２８を有している。電子ダイヤルユニット２０９の回転軸からダイヤル隣接部２２８までの高さ（距離）ｙは、電子ダイヤルユニット２０９内のフレキシブルプリント基板２２０と、ダイヤルベース部材３０３の壁部３０３ｃの大きさによって決まる。壁部３０３ｃは、クリック部材であるクリックプレート３０５の外周に配置される。
【００１１】
図９（Ｂ）に示す回転操作ユニットでは、カメラ外装面から回転操作部材３００が一部突出した操作部３００ｂの半径ｒに対して、ダイヤル隣接部２２８までの高さｙが小さくなるように、段差ｈを設けている。この回転操作ユニットでは、カメラ外装面から突出するダイヤル隣接部２２８が大きくなると、カメラの外観上目立ってしまう。また、段差ｈが小さくなると、回転操作部材３００の操作時に指が触れてしまい、操作性を損ねる。したがって、段差ｈはできるだけ大きくすることが望ましい。一方、回転操作部材３００の径を大きくすると、段差ｈを大きくすることができるが、電子ダイヤルユニット２０９の内部構造も大きくなってしまうので、好ましくない。以下に説明する本実施形態の回転操作ユニットによれば、内部構成を小型化して、ダイヤル隣接部と回転操作部材が備える操作部との段差ｈを十分に確保し、回転操作時の操作性を向上させることが可能となる。
【００１２】
図１および図２は、本実施形態の回転操作ユニットを備える撮像装置の構成例を示す図である。
撮像装置として、デジタルカメラ（以下「カメラ」と略記する）を例にとって説明する。もちろん、本発明の適用範囲は、デジタルカメラに限定されるものではない。図１（Ａ）は、カメラの正面側（被写体側）の斜視図を示す。図１（Ｂ）は、カメラの背面側（撮影者側）の斜視図を示す。図２は、撮影者がカメラを保持した状態を示す。
撮像装置の本体部であるカメラ本体１の正面中央部には、ズーム式のレンズ鏡筒２が設けられている。レンズ鏡筒２の側面部には、ズーム操作が可能なズームボタン３、被写体を撮影画角に捉えるための操作ボタン４、５が設けられている。カメラ本体１には、撮影者がカメラ本体１を保持するためのグリップ部６が設けられている。グリップ部６の上側には、撮影者がカメラに対して撮影を指示するためのレリーズボタン７が設けられている。レリーズボタン７の周囲には、ズームレバー８が設けられている。レリーズボタン７の後部には、シャッタ速度や絞り数値等の設定値を変更するための回転操作部材１００を含む回転操作ユニットである電子ダイヤルユニット９が設けられている。
【００１３】
回転操作部材１００の外周にはローレットが形成されて、操作時に摩擦を確保できるようになっている。また、電子ダイヤルユニット９は、半径Ｒの操作部１００ｂを有している。操作部１００ｂは、カメラ本体の筐体から突出した回転操作部材１００の一部である。操作部１００ｂは、撮影者がグリップ部６を把持している際に、人差し指で回転操作を行うことができる位置に配置されている。撮影待機状態で撮影者が回転操作部材１００を操作することにより、シャッタ速度や絞り数値などの設定の変更を行うことができる。また、電子ダイヤルユニット９は、液晶モニタ１０に表示されるメニューのコマンド操作、撮影画像、撮影動画の選択操作にも用いられる。
【００１４】
カメラ本体１の上面には、カメラの動作のＯＮ／ＯＦＦを切り換える電源ボタン１１と、カメラと他の電子機器とをＷｉ−Ｆｉを用いた無線接続を行うＷｉ−Ｆｉボタン１２とが設けられている。また、カメラ本体１の上面には、撮影モードを設定するための回転操作部材である撮影モード設定ダイヤル１３が設けられている。また、カメラ本体１の上面中央には、ポップアップ式ストロボ１４が設けられている。カメラ本体１を正面側から見て右側の側面には、不図示の外部音声入力ケーブル用のコネクタを覆うコネクタ蓋１５が開閉可能に設けられている。また、カメラ本体１の上部背面側には、ファインダ接眼窓１６が設けられている。ファインダ接眼窓１６の下側の背面中央付近には、複数方向に回動可能な液晶モニタ１０が設けられている。カメラ本体１の背面には、撮影者がグリップ部６を把持したときに親指での操作が可能な位置に、複数の背面ボタン１７が設けられている。また、カメラ本体１を背面側から見て右側の側面には、不図示の外部出力ケーブル用のコネクタを覆うコネクタ蓋１８が開閉可能に設けられている。
【００１５】
図３は、カメラ本体に設けられた電子ダイヤルユニットの周辺の構造を示す分解斜視図の一例である。図３（Ａ）は、電子ダイヤルユニット９の正面側（被写体側）の斜視図を示す。図３（Ｂ）は、電子ダイヤルユニット９の背面側（撮影者側）の斜視図を示す。電子ダイヤルユニット９は、ビス２１ａ、２１ｂ、２１ｃ、２１ｄ、２１ｅによって、カメラ本体１の上面側に設けられた外装部材であるトップカバー１９に締結（固定）される。電子ダイヤルユニット９には、フレキシブルプリント基板２０が組み込まれている。
【００１６】
図４は、フレキシブルプリント基板の背面側（撮影者側）の斜視図の一例である。
フレキシブルプリント基板２０は、片面構造を有するフレキシブル基板（片面フレキ）であり、電子ダイヤルユニット９（図３）に組み込まれている。
フレキシブルプリント基板２０には、マイク２２ａ、２２ｂ、スイッチ２３ａ、２３ｂ、２３ｃ、レリーズスイッチ２４、ＬＥＤ（Ｌｉｇｈｔ  Ｅｍｉｔｔｉｎｇ  Ｄｉｏｄｅ）２５などの電子部品が実装されている。また、フレキシブルプリント基板２０には、撮影モード設定ダイヤル１３の回転を検知するためのモードダイヤルパターン２６、撮影モード設定ダイヤル１３の回転を検知するためのズームパターン２７が形成されている。また、フレキシブルプリント基板２０には、電子ダイヤルユニット９の回転を検知するための導電パターンである電子ダイヤルパターン１０１ａ乃至１０１ｃが形成されている。
【００１７】
フレキシブルプリント基板２０においては、ポリイミドなどからなる絶縁部材の上に、金めっき処理された銅箔などからなる配線部が配置され、配線部を絶縁するためのポリイミドなどからなる絶縁部材によってカバーされている。一方、上述した導電パターンが形成された領域においては、配線部が絶縁部材によってカバーされておらず、銅箔が露出している。露出した銅箔と、回転を検出するための位相接片部材である位相接片１０４が接触することで、電気的な接続が実現する。
【００１８】
図５は、電子ダイヤルユニットの分解斜視図の一例である。
図５（Ａ）は、電子ダイヤルユニット９の正面側（被写体側）を示す。図５（Ｂ）は、電子ダイヤルユニット９の背面側（撮影者側）を示す。図５（Ａ）、（Ｂ）では、フレキシブルプリント基板２０は、電子ダイヤルユニット９に係わる部分のみを図示しており、他の部分については省略している。
【００１９】
電子ダイヤルユニット９は、レリーズベース部材１０２と、回転操作部材１００と、ダイヤルベース部材１０３とを有する。また、電子ダイヤルユニット９は、フレキシブルプリント基板２０と、位相接片１０４と、クリックプレート１０５と、クリックボール１０６と、クリックバネ１０７と、ビス１０８とを有する。
【００２０】
フレキシブルプリント基板２０の穴部２０ａが、ダイヤルベース部材１０３の軸部１０３ａに対して挿入され、不図示の接着部材によって固定されている。位相接片１０４は、カシメによってクリックプレート１０５に取り付けられ、一体となっている。ダイヤルベース部材１０３の穴部１０３ｂに対して、カメラ正面側から回転操作部材１００の軸部１００ａが挿入される。そして、カメラ背面側から回転操作部材１００の軸部１００ａに対して、位相接片１０４と一体となったクリックプレート１０５が配置され、ビス１０８によって回動可能に締結されている。これにより、ダイヤルベース部材１０３に対して、回転操作部材１００とクリックプレート１０５、位相接片１０４が、摺動可能に挟持している。すなわち、ダイヤルベース部材１０３は、回転操作部材１００を回転可能に支持しており、回転操作部材１００とともに、位相接片１０４と一体となったクリックプレート１０５が回転する。位相接片１０４には、複数の接片部１０４ａ乃至１０４ｆが形成されており、フレキシブルプリント基板２０上の一定軌跡を摺動する。
【００２１】
ダイヤルベース部材１０３には、クリックボール１０６とクリックバネ１０７が配置されている。クリックボール１０６は、クリックプレート１０５の外周に所定の角度間隔で形成された凹凸部である波型形状１０５ａに当接する。クリックボール１０６をクリックバネ１０７によって付勢することで、回転操作部材１００の回転操作に応じてクリック感が発生する。クリックボール１０６は、金属材料または合成樹脂材料等で形成される球体（転動部材）である。クリックバネ１０７は、圧縮コイルバネ等の弾性部材である。
【００２２】
レリーズベース部材１０２は、ダイヤルベース部材１０３を抱えるように取り付けられる。クリックボール１０６とクリックバネ１０７は、レリーズベース部材１０２によって覆われることで脱落が防止される。
【００２３】
図６は、トップカバー内の電子ダイヤルユニットの構成を説明する図である。
図６（Ａ）は、カメラ本体の上面側に配置された筐体であるトップカバーに電子ダイヤルユニットが組み込まれた状態を示す。図６（Ｂ）は、図６（Ａ）中の矢視Ａ−Ａ断面図である。
ダイヤルベース部材１０３には、フレキシブルプリント基板２０の外形を囲うように壁部１０３ｃが形成されている。壁部１０３ｃは、トップカバー１９と回転操作部材１００の隙間からの静電気の侵入を防ぐための沿面距離を確保する役割を果たしている。トップカバー１９は、操作部１００ｂに隣接するダイヤル隣接部２８を有している。電子ダイヤルユニット９の回転軸からダイヤル隣接部２８までの高さ（距離）Ｙは、電子ダイヤルユニット９内のフレキシブルプリント基板２０と、クリックプレート１０５の外周に配置されるダイヤルベース部材１０３の壁部１０３ｃの大きさによって決まる。カメラ外装面から突出した操作部１００ｂの半径Ｒに対して、ダイヤル隣接部２８までの高さＹが小さくなるように、段差Ｈを設けている。
【００２４】
図７および図８は、電子ダイヤルユニットの背面の構成を説明する図である。
図７（Ａ）は、電子ダイヤルユニット９からレリーズベース部材１０２を省略した状態を示す。図７（Ｂ）は、図７（Ａ）の電子ダイヤルユニット９からクリックプレート１０５を省略した状態を示す。図８は、フレキシブルプリント基板２０の電子ダイヤルパターン１０１ａ乃至１０１ｃを示す。
【００２５】
位相接片１０４は、複数の弾性を持った接片部１０４ａ、１０４ｂ、１０４ｃ、１０４ｄ、１０４ｅ、１０４ｆを有する。接片部１０４ａおよび１０４ｂ、接片部１０４ｃおよび１０４ｄ、接片部１０４ｅおよび１０４ｆがそれぞれ組をなしている。複数組（図７では３組）の接片部は、互いに１２０度間隔で形成されている。３組の接片部が、フレキシブルプリント基板２０に形成された電子ダイヤルパターン１０１ａ乃至１０１ｃ上を摺動する。３組の接片部がそれぞれ組になっていることにより、接片部がフレキシブルプリント基板２０の電子ダイヤルパターン１０１ａ乃至１０１ｃ上を摺動する際のチャタリングが抑制される。
【００２６】
電子ダイヤルパターン１０１ａは、第１の信号パターンであり、電子ダイヤルパターン１０１ｂは第２の信号パターンである。また、電子ダイヤルパターン１０１ｃは、グランドパターンである。グランドパターン１０１ｃは、操作部１００ｂの近傍における第１の領域Ｄ１に配置されている。第１の信号パターン１０１ａは、第２の領域Ｄ２において、グランドパターン１０１ｃと第１の信号パターン１０１ａが回転方向で交互に並ぶように配置されている。そして、第１の信号パターン１０１ａは、グランドパターン１０１ｃの外側で接続されて形成されている。
【００２７】
第２の信号パターン１０１ｂは、第３の領域Ｄ３において、グランドパターン１０１ｃと第２の信号パターン１０１ｂとが回転方向で交互に並ぶように配置されている。そして、第２の信号パターン１０１ｂは、グランドパターン１０１ｃの外側で接続されて形成されている。
【００２８】
電子ダイヤルユニット９が静止状態にある場合、即ち、クリックボール１０６がクリックプレート１０５の波型形状１０５ａの凹部１０５ｂにある場合は、３組の接片部１０４ａ乃至１０４ｆは、グランドパターン１０１ｃと接触した状態にある。この状態から、撮影者が回転操作部材１００を反時計回りに回転させると、接片部１０４ａ乃至１０４ｆが反時計回りに回転する。これにより、クリックボール１０６が、クリックプレート１０５の波型形状１０５ａの凹部１０５ｂから凸部１０５ｃへ、さらに凸部１０５ｃから隣の凹部１０５ｄへ移動し、静止する。この間、接片部１０４ｅ、１０４ｆは、グランドパターン１０１ｃ上を摺動している。
【００２９】
一方、接片部１０４ａ、１０４ｂは、まずグランドパターン１０１ｃから第１の信号パターン１０１ａ上に移動する。次に、接片部１０４ｃ、１０４ｄが、グランドパターン１０１ｃから第２の信号パターン１０１ｂ上に移動する。さらに、接片部１０４ａ、１０４ｂが、第１の信号パターン１０１ａからグランドパターン１０１ｃ上に移動し、接片部１０４ｃ、１０４ｄが、第２の信号パターン１０１ｂからグランドパターン１０１ｃ上に移動する。
【００３０】
電子ダイヤルユニット９は、位相接片１０４と電子ダイヤルパターン１０１とが、接触する状態と非接触状態とで切り替わることに応じて、回転操作部材１００の回転を検知する回転検出機構を有する。これにより、撮影者は、操作部１００ｂを回転させることで、種々の設定値を変更することができる。
【００３１】
フレキシブルプリント基板２０には、カメラ外観側の回転操作部材１００の操作部１００ｂの近傍に、第１の切り欠き部２０ｂが設けられている。また、フレキシブルプリント基板２０には、クリックボール１０６とクリックバネ１０７が配置されたダイヤルベース部材１０３を避ける第２の切り欠き部２０ｃが設けられている。
【００３２】
第１の切り欠き部２０ｂは、フレキシブルプリント基板２０の電子ダイヤルパターン１０１ａ乃至１０１ｃのうち、グランドパターン１０１ｃのみが配置されている領域の外形部に形成されている。この領域では、グランドパターン１０１ｃの外側に第１の信号パターン１０１ａおよび第２の信号パターン１０１ｂが配置されていないので、接片部が通過する領域の外側を切り欠くことができる。
【００３３】
フレキシブルプリント基板２０が両面構造を有するフレキシブル基板（両面フレキ）の場合、第１の信号パターン１０１ａおよび第２の信号パターン１０１ｂは外周に形成せず、スルーホールを介して反対面に配置することで外形を広げずに済む。しかし、両面フレキは、片面フレキと比べて高価でありコストアップになってしまう。
【００３４】
第２の切り欠き部２０ｃは、クリックボール１０６とクリックバネ１０７が配置される領域の近傍に設けられている。具体的には、第２の切り欠き部２０ｃは、フレキシブルプリント基板２０の、クリックバネ１０７がクリックボール１０６を付勢する方向においてグランドパターン１０１ｃのみが配置されている領域の外形部に形成されている。すなわち、この領域に配置されているグランドパターン１０１ｃは、第１の信号パターン１０１ａおよび第２の信号パターン１０１ｂに挟まれた領域に形成されている。
【００３５】
フレキシブルプリント基板２０のグランドパターン１０１ｃのみが配置されている箇所の外形部は、片面フレキであってもパターン形成が可能であるので、この外形部を切り欠くことで第２の切り欠き部２０ｃを形成することができる。フレキシブルプリント基板２０の第２の切り欠き部２０ｃの位置にクリックボール１０６とクリックバネ１０７を配置することで、クリックボール１０６を内側に寄せることができ、クリックプレート１０５の径も小さくすることができる。また、クリックボール１０６はフレキシブルプリント基板２０の導体パターン１０１ａ乃至１０１ｃと投影上重なっているが、回転操作ユニット９の回転軸と平行な方向において離間している。
【００３６】
本実施形態の回転操作ユニットによれば、回転操作部材１００の操作部１００ｂの近傍のフレキシブルプリント基板２０の外形を切り欠き、クリックプレート１０５の径を小さくすることで、回転操作ユニットの内部構造の小型化を図ることができる。すなわち、第１の切り欠き部２０ｂに対応したダイヤルベース部材１０３の壁部１０３ｃ（図６（Ｂ）の径を小さくすることができる。したがって、ダイヤル隣接部２８の高さＹを小さくすることができ、回転操作部材１００との段差Ｈを十分に確保することができる。これにより、外観上の見栄えが良くなり、回転操作部材１００を大型化させることなく、回転操作部材１００を操作する際にダイヤル隣接部２８に指が触れて操作性を損なうことがなくなる。さらに、外観側である回転操作部材１００の操作部１００ｂの近傍のフレキシブルプリント基板２０にグランドパターン１０１ｃが配置されることで、以下の効果を奏することができる。すなわち、トップカバー１９と回転操作部材１００の隙間から静電気が侵入したとしても、グランドパターン１０１ｃが避雷針の役割を果たすことでカメラを保護することができる。以上、本発明の好ましい実施形態について説明したが、本発明は、説明した実施形態に限定されず、その要旨の範囲内で種々の変形及び変更が可能である。
【００３７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３８】
１  カメラ本体
９  電子ダイヤルユニット
【図１】
2020030272.tif 000003
【図２】
2020030272.tif 000004
【図３】
2020030272.tif 000005
【図４】
2020030272.tif 000006
【図５】
2020030272.tif 000007
【図６】
2020030272.tif 000008
【図７】
2020030272.tif 000009
【図８】
2020030272.tif 000010
【図９】
2020030272.tif 000011